(57)【要約】      （修正有）【課題】簡便に付することができ、かつ、衣服を傷つけることのない徽章を提供する。【解決手段】中心部が凹み、この凹んだ開口周縁に内径方向に突出する突起部１１ａを備えた雌型の丸筒型構造の嵌合部１１が裏面に設けられた徽章本体１と、側面視略コの字形状であって、上面部２Ａに徽章本体１の嵌合部１１に中心部の突出した凸部が嵌合し、この凸部の先端に膨出する膨出部２１ａが備えられた雄型の丸筒型構造の第２嵌合部２１が設けられたホルダ２とから、ホルダ２の膨出部２１ａと徽章本体１の突起部１１ａとを係合させつつ嵌合部１１と第２嵌合部２１を嵌合させ、このとき徽章本体１又はホルダ２を回転可能として徽章を構成する。【選択図】図２
0003170349.tif 000002
【実用新案登録請求の範囲】
【請求項１】
裏面に嵌合部が設けられた徽章本体と、一枚の略矩形状板が折り曲げられ、上面部、下面部、および、この下面部と前記上面部とを連結する連結部からなる側面視略コの字形状が弾性を備えて形成されるとともに、前記上面部に前記徽章本体の嵌合部と嵌合する第２嵌合部が、前記下面部にその一部を前記上面部側へ向けて略への字に屈曲させて形成した留部がそれぞれ設けられたホルダとから前記嵌合部と前記第２嵌合部を嵌合させて構成され、前記嵌合部と前記第２嵌合部を嵌合させたときに前記徽章本体又は前記ホルダが回転可能となる、
ことを特徴とする徽章。
【請求項２】
前記徽章本体の嵌合部は中心部が凹み、この凹んだ開口周縁に内径方向に突出する突起部を備えた雌頭構造であり、
前記ホルダの第２嵌合部は中心部が突出し、この突出した突部先端に膨出した膨出部を備えた雄頭構造であり、
この雄頭構造の膨出部が前記雌頭構造の突起部に係合することで、前記嵌合部と前記第２嵌合部を嵌合させたときに前記徽章本体又は前記ホルダが回転可能となる、
ことを特徴とする請求項１に記載の徽章。
【考案の詳細な説明】
【技術分野】
【０００１】
本考案は、衣服の胸部、襟部、袖部や、帽子、ネクタイ等に付して、企業等の職員であること、職名等の身分を表すことに用いたり、表彰に際して授与されたりする徽章に関し、徽章本体に備えられ、衣服等の被付着部位に付する際に貫通させるピンを不要にした徽章に関する。
【背景技術】
【０００２】
従来から、衣服の胸部、襟部等に付して、簡便に企業等の職員であること等を表すことができるものとして徽章が活用されている。例えば、背広へ徽章を付する際には一般に、フラワーホールと呼ばれる左襟又は両襟に設けられた穴に、徽章本体に備えられたピンを貫通させて用いられる。
【０００３】
一方、夏季の間、軽装により業務を行うことで省エネ、職場環境の改善等を図ろうとする所謂クールビスが最近、奨励されるようになり、社会的にも浸透しつつある。このクールビスには背広の着用を原則不要にする、といったことも含まれる。しかし、背広を着用しなければ、徽章を付する箇所が見あたらなくなる。仮に、ワイシャツ、カッターシャツ等に徽章本体のピンを貫通させると、これらの衣服に穴が開くという不都合が生じる。
【考案の概要】
【考案が解決しようとする課題】
【０００４】
したがって、クールビスを励行し、背広を着用しないような軽装により業務を行う場合であっても、徽章を簡便に衣服等に付する手段を開発することが求められている。特に、ワイシャツ、カッターシャツ等に簡便に、しかも、傷つけることなく付することのできる徽章に対する需要は、極めて大きい現状にある。
【０００５】
本考案は、上記実情に鑑み提案され、徽章本体に備えられ、衣服等の被付着部位に付する際に貫通させるピンを不要にして構成し、ワイシャツ、カッターシャツ等に簡便に、しかも、傷つけることなく付することのできる徽章を提供することを目的とする。
【課題を解決するための手段】
【０００６】
上記目的を達成するため、本考案に係る徽章は、裏面に嵌合部が設けられた徽章本体と、一枚の略矩形状板が折り曲げられ、上面部、下面部、および、この下面部と前記上面部とを連結する連結部からなる側面視略コの字形状が弾性を備えて形成されるとともに、前記上面部に前記徽章本体の嵌合部と嵌合する第２嵌合部が、前記下面部にその一部を前記上面部側へ向けて略への字に屈曲させて形成した留部がそれぞれ設けられたホルダとから前記嵌合部と前記第２嵌合部を嵌合させて構成され、前記嵌合部と前記第２嵌合部を嵌合させたときに前記徽章本体又は前記ホルダが回転可能となることを特徴とする。
【０００７】
特に、上記徽章において、徽章本体の嵌合部は中心部が凹み、この凹んだ開口周縁に内径方向に突出する突起部を備えた雌頭構造であり、ホルダの第２嵌合部は中心部が突出し、この突出した突部先端に膨出した膨出部を備えた雄頭構造であり、この雄頭構造の膨出部が雌頭構造の突起部に係合することで、嵌合部と前記第２嵌合部を嵌合させたときに徽章本体又はホルダが回転可能となる構成とすることが好ましい。
【考案の効果】
【０００８】
本考案では、裏面に嵌合部が設けられた徽章本体と、一枚の略矩形状板が折り曲げられ、上面部、下面部、および、この下面部と前記上面部とを連結する連結部からなる側面視略コの字形状が弾性を備えて形成されるとともに、上面部に徽章本体の嵌合部と嵌合する第２嵌合部が、下面部にその一部を上面部側へ向けて略への字に屈曲させて形成した留部がそれぞれ設けられたホルダとから嵌合部と第２嵌合部を嵌合させて徽章を構成している。特に、嵌合部と第２嵌合部を嵌合させたときに徽章本体又はホルダが回転可能となる構成である。したがって、ホルダの側面視略コの字形状を利用してワイシャツ、カッターシャツの襟等に、簡便に、しかも、これらの衣服を傷つけずに徽章を付することができる。下面部に、その一部を上面側へ向けて略への字に形成された留部によって、付した徽章がワイシャツ、カッターシャツの襟等から外れることもない。さらに、嵌合部と第２嵌合部を嵌合させたときに徽章本体又はホルダが回転可能であるから、ワイシャツ、カッターシャツの襟等に付した徽章に表されている図案の向きを簡単に調整することもできる。
【０００９】
また、本考案では、徽章本体の嵌合部が、中心部が凹んで、この凹んだ開口周縁に内径方向に突出する突起部を備えた雌頭構造であり、ホルダの第２嵌合部が、中心部が突出して、この突出した突部先端に膨出した膨出部を備えた雄頭構造であり、この雄頭構造の膨出部を雌頭構造の突起部に係合させて、嵌合部と第２嵌合部を嵌合させたときに徽章本体又はホルダが回転可能となる構成を達成している。したがって、雄頭構造の膨出部と雌頭構造の突起部との係合によりワイシャツ、カッターシャツの襟に付した徽章の向きを調整する際に嵌合部と第２嵌合部が外れることもなくなって、確実にワイシャツ、カッターシャツの襟等に簡便に、しかも、傷つけることなく付することのできる徽章を提供することができる。また、ホルダに設けられた第２嵌合部が、膨出した膨出部を備えた雄頭構造であるので、徽章を付する際には、この雄頭構造の膨出部に触れながら、徽章本体の嵌合部をホルダの第２嵌合部へ嵌合することができ、徽章を付するといった行為をさらに簡便にすることができる。
【図面の簡単な説明】
【００１０】
【図１】本考案に係る徽章の概略全体斜視図である。
【図２】本考案に係る徽章を、徽章本体とホルダとに分離して表した分解図である。
【図３】本考案に係る徽章に関し、衣服に付する手順を説明する説明図であって、（Ａ）は、ホルダを被付着部位に付した場面を説明する説明図、（Ｂ）は、ホルダに徽章本体を嵌合し、さらに回転させて徽章の図案の向きを調整している場面を説明する説明図、（Ｃ）は、衣服に付された徽章の図案が適切な向きに位置決めされた場面を説明する説明図である。
【考案を実施するための形態】
【００１１】
以下、本考案に係る徽章について一実施形態を図面に基づいて詳述する。なお、この一実施形態は、本考案の構成を具現化した例示に過ぎない。本考案は、実用新案登録請求の範囲に記載した事項を逸脱することがなければ種々の設計変更を行うことができる。例えば、下記一実施形態では、ワイシャツ、カッターシャツの襟に本考案に係る徽章を付する形態を例示しているが、本考案に係る徽章は、衣服の胸部、襟部、袖部や、帽子、ネクタイ等をはじめ様々な被付着部位に付することができるものである。
【００１２】
本考案に係る徽章は、図１等に示すように裏面に嵌合部１１が設けられた徽章本体１と、側面視略コの字形状であって、上面部２Ａに徽章本体１の嵌合部１１と嵌合する第２嵌合部２１が設けられたホルダ２とから、嵌合部１１と第２嵌合部２１を嵌合させて構成されている。また、嵌合部１１と第２嵌合部２１を嵌合させたときに、徽章本体１又はホルダ２が回転可能となる構成である。
【００１３】
徽章本体１は、図２に示すように、裏面に嵌合部１１が設けられている。嵌合部１１は、例えば、金属材又は合成樹脂材で構成される。嵌合部１１は、中心部が凹んだ雌型の丸筒型構造である。また、この凹んだ開口周縁には、内径方向に突出する突起部１１ａが設けられている。なお、徽章本体１の表面には、例えば、企業名、役職名等によって区別され、デザインされて作製された徽章そのものの図案等が表される。
【００１４】
また、ホルダ２は、図２に示すように、一枚の略矩形状板が折り曲げられることで形成され、上面部２Ａと、下面部２Ｂと、この下面部２Ｂと上面部２Ａとを連結する連結部２Ｃとから、側面視略コの字形状に弾性を備えて構成されている。ホルダ２の上面部２Ａには、徽章本体１の嵌合部１１と嵌合する第２嵌合部２１が設けられている。ホルダ２の下面部２Ｂには、その一部を上面部２Ａ側へ向けて略への字に屈曲させて形成した留部２２が設けられている。
【００１５】
ホルダ２の上面部２Ａに設けられた第２嵌合部２１は、例えば、金属材又は合成樹脂材で構成される。この第２嵌合部２１は、中心部が突出した凸部とされた雄型の丸筒型構造であって、その突出した凸部の先端に膨出する膨出部２１ａを備えている。ホルダ２の下面部２Ｂに設けられた略への字の留部２２は、ワイシャツ、カッターシャツの襟等に本考案に係る徽章を簡便に取付けること、さらには、ワイシャツ、カッターシャツの襟等に付した本考案に係る徽章が外れることがないようにすること等を目的として形成されるから、適度なバネ性を有することが好ましい。
【００１６】
本考案に係る徽章は、徽章本体１の嵌合部１１とホルダ２の第２嵌合部２１とを嵌合させて構成する。具体的には、ホルダ２の第２嵌合部２１の凸部を、徽章本体１の嵌合部１１の凹みへ向けて嵌合するのである。特に、第２嵌合部２１の凸部の先端に膨出部２１ａが備えられ、嵌合部１１の凹みに内径方向に突出する突起部１１ａが備えられているので、この膨出部２１ａと突起部１１ａとが係合した状態で嵌合することになる。この膨出部２１ａと突起部１１ａとの係合により、徽章本体１の嵌合部１１とホルダ２の第２嵌合部２１とを嵌合させたとき、嵌合状態を維持したまま徽章本体１又はホルダ２が回転可能となる。
【００１７】
以下、本考案に係る徽章に関し、ワイシャツ、カッターシャツの襟に付する手順を、図３を参照しつつ説明する。
【００１８】
まず、図３（Ａ）に示すように、ホルダ２をワイシャツ、カッターシャツの襟に取付ける。具体的には、ホルダ２の上面部２Ａと下面部２Ｂとを指先で摘み、側面視略コの字形状の解放端をワイシャツ、カッターシャツの襟側へ向けて取付ける。このとき、ワイシャツ、カッターシャツの正面（対人面）側に、ホルダ２の上面部２Ａが位置するように留意する。ワイシャツ、カッターシャツの襟等に一旦取付けたホルダ２は、強引に引っ張るといった強力な力を加えない限り、ホルダ２の下面部２Ｂの略への字に形成された留部２２のバネ性によって外れることがない。
【００１９】
次に、ワイシャツ、カッターシャツの正面側にホルダ２の上面部２Ａが位置するようにホルダ２を取付けたら、図３（Ｂ）に示すように、徽章本体１の嵌合部１１をホルダ２の上面部２Ａに設けられた第２嵌合部２１へ嵌合させる。このとき、ホルダ２の第２嵌合部２１の凸部に備えられた膨出部２１ａに指先で触れながら、徽章本体１の嵌合部１１をホルダ２へ嵌合すれば、徽章本体１のホルダ２への取付けが簡便になる。また、第２嵌合部２１の膨出部２１ａと嵌合部１１の凹みに内径方向に突出する突起部１１ａとが係合した状態で嵌合するので、嵌合部１１と第２嵌合部２１を嵌合させたときに徽章本体１が回転可能となる。
【００２０】
徽章本体１の嵌合部１１をホルダ２へ嵌合させたら、徽章本体１を指先で摘みながらホルダ２の第２嵌合部２１の凸部を支点に回転させて調整し、徽章本体１の表面に表された図案を適切に位置決めする。これにより、図３（Ｃ）に示すように、簡便にワイシャツ、カッターシャツの襟に本考案に係る徽章を付することができる。しかも、ピンにより貫通させてワイシャツ、カッターシャツの襟に付していないので、これらの衣服を一切傷つけることもない。
【００２１】
したがって、本考案では、ホルダ２の側面視略コの字形状を利用し、さらに、徽章本体１の嵌合部１１とホルダ２の第２嵌合部２１との嵌合も利用することで、ワイシャツ、カッターシャツの襟等に、簡便に、しかも、これらの衣服を傷つけずに徽章を付することができる。特に、第２嵌合部２１の膨出部２１ａと嵌合部１１の内径方向に突出した突出部１１ａとの係合をも利用することにより、嵌合部１１と第２嵌合部２１を嵌合させたときに徽章本体１を回転可能とし、ワイシャツ、カッターシャツの襟等に付した徽章の向きを簡単に調整することもできる。徽章を付する際には、第２嵌合部２１の膨出部２１ａに触れながら、徽章本体１を嵌合することで、さらに簡便な徽章の取付けを実現することができる。
【００２２】
以上、本考案の一実施形態を例示して詳述したが、上述したとおり、本考案は上記実施形態に限定されるものではない。例えば、ホルダの幅や長さといった大きさに関し、徽章本体の大きさに従って、収まりの良い大きさに適宜変更すればよい。さらに、上記実施形態では、徽章本体の嵌合部やホルダの第２嵌合部について、それぞれ丸筒型構造を例示したが矩形の筒形構造であってもよい。また、徽章本体の嵌合部を雄型構造とし、ホルダの第２嵌合部を雌型構造としても本考案を達成することができる。すなわち、本考案は、実用新案登録請求の範囲に記載した事項を逸脱することがなければ種々の設計変更を行うことができるものである。
【００２３】
なお、本考案に係る徽章の簡便な製造方法として所謂スナップボタンを活用した例を挙げることができる。ホルダの上面部に雄スナップを取付け又は一体成型し、徽章本体の裏面に雌スナップを取付け又は一体成型するといったこと等を採用すれば、非常に容易に作製することが可能である。
【符号の説明】
【００２４】
１・・・徽章本体
１１・・嵌合部
１１ａ・突出部
２・・・ホルダ
２Ａ・・上面部
２Ｂ・・下面部
２Ｃ・・連結部
２１・・第２嵌合部
２１ａ・膨出部
２２・・留部
【図１】
0003170349.tif 000003
【図２】
0003170349.tif 000004
【図３】
0003170349.tif 000005
【手続補正書】
【提出日】平成23年7月12日(2011.7.12)
【手続補正１】
【補正対象書類名】明細書
【補正対象項目名】０００７
【補正方法】変更
【補正の内容】
【０００７】
特に、上記徽章において、徽章本体の嵌合部は中心部が凹み、この凹んだ開口周縁に内径方向に突出する突起部を備えた雌頭構造であり、ホルダの第２嵌合部は中心部が突出し、この突出した突部先端に膨出した膨出部を備えた雄頭構造であり、この雄頭構造の膨出部が雌頭構造の突起部に係合することで、嵌合部と前記第２嵌合部を嵌合させたときに徽章本体又はホルダが回転可能となる構成とするものである。
【手続補正２】
【補正対象書類名】実用新案登録請求の範囲
【補正対象項目名】全文
【補正方法】変更
【補正の内容】
【実用新案登録請求の範囲】
【請求項１】
裏面に嵌合部が設けられた徽章本体と、一枚の略矩形状板が折り曲げられ、上面部、下面部、および、この下面部と前記上面部とを連結する連結部からなる側面視略コの字形状が弾性を備えて形成されるとともに、前記上面部に前記徽章本体の嵌合部と嵌合する第２嵌合部が、前記下面部にその一部を前記上面部側へ向けて略への字に屈曲させて形成した留部がそれぞれ設けられたホルダとから前記嵌合部と前記第２嵌合部を嵌合させて構成され、
前記徽章本体の嵌合部は中心部が凹み、この凹んだ開口周縁に内径方向に突出する突起部を備えた雌頭構造であり、
前記ホルダの第２嵌合部は中心部が突出し、この突出した突部先端に膨出した膨出部を備えた雄頭構造であり、
この雄頭構造の膨出部が前記雌頭構造の突起部に係合することで、前記嵌合部と前記第２嵌合部を嵌合させたときに前記徽章本体又は前記ホルダが回転可能となる、
ことを特徴とする徽章。